(57)【要約】【課題】ショートサーキット防止用のリブによる空気抵抗の増加を抑え、それによって消費電力および騒音を抑えることが可能な室外機を提供する。【解決手段】空気調和機の室外機１は、吹出口１１ａを有する前壁１１および吸込口１３ａを有する側壁１３を有するケーシング２と、ケーシング２の内部に収納され、吹出口１１ａに対向する位置に配置されたファン４と、吹出口１１ａに配置され、ファン４の半径方向に互いに離間して配置された複数のリブ３２を有するグリル６とを備えている。グリル６の領域Ｒ１において、ファン４の回転軸方向Ｃにおける複数のリブ３２の第１部分３２ａの高さは、ファン４の半径方向内側に位置するリブから外側に位置するリブまで徐々に大きくなるように設定されている。【選択図】図２
2015048989.tif 000002
【特許請求の範囲】
【請求項１】
空気調和機の室外機（１、６１）であって、
吹出口（１１ａ、６５）を有する第１壁（１１、６３）および吸込口（１３ａ、６４ａ）を有する第２壁（１３、６４）を有し、前記第１壁（１１、６３）が前記第２壁（１３、６４）に隣接して当該第２壁（１３、６４）と異なる方向を向くケーシング（２、６２）と、
前記ケーシング（２、６２）の内部に収納され、前記吹出口（１１ａ、６５）に対向する位置に配置されたファン（４）と、
前記吹出口（１１ａ、６５）に配置され、前記ファン（４）の半径方向に互いに離間して配置された複数のリブ（３２）を有するグリル（６、４１、５１、７１〜７８）と
を備えており、
前記ファン（４）の回転軸方向における前記複数のリブ（３２）の高さは、前記グリル（６、４１、５１、７１〜７８）の少なくとも一部の領域において、前記ファン（４）の半径方向内側に位置するリブ（３２）から外側に位置するリブ（３２）まで徐々に大きくなるように設定されている、
室外機（１、６１）。
【請求項２】
前記グリル（６）は、前記リブ（３２）の間において当該リブ（３２）と平行に延びる桟（３８）をさらに備えており、
前記リブ（３２）は、当該リブ（３２）の間に前記桟（３８）を介在した状態で、前記半径方向に並んで配置されている、
請求項１に記載の室外機（１）。
【請求項３】
前記複数のリブ（３２）の高さは、前記グリル（６）のうち当該グリル（６）の中心よりも前記吸込口（１３ａ、６４ａ）に近い領域において、前記ファン（４）の半径方向内側に位置するリブ（３２）から外側に位置するリブ（３２）まで徐々に大きくなるように設定されている、
請求項１または２に記載の室外機（１、６１）。
【請求項４】
前記複数のリブ（３２）の高さは、前記グリル（６）のうち当該グリル（６）の中心よりも前記吸込口（１３ａ、６４ａ）から遠い領域において、前記ファン（４）の半径方向内側に位置するリブ（３２）から外側に位置するリブ（３２）まで同じになるように設定されている、
請求項３に記載の室外機（１、６１）。 
【請求項５】
前記複数のリブ（３２）の高さは、前記グリル（４１）を当該グリル（４１）の中心を通る対角線で４分割したうちの前記吸込口（１３ａ、６４ａ）に近い１／４の領域において、前記ファン（４）の半径方向内側に位置するリブ（３２）から外側に位置するリブ（３２）まで徐々に大きくなるように設定されている、
請求項１または２に記載の室外機（１、６１）。
【請求項６】
前記複数のリブ（３２）の高さは、前記グリル（４１）を当該グリル（４１）の中心を通る対角線で４分割したうちの前記吸込口（１３ａ、６４ａ）に近い１／４の領域以外の領域において、前記ファン（４）の半径方向内側に位置するリブ（３２）から外側に位置するリブ（３２）まで同じになるように設定されている、
請求項５に記載の室外機（１、６１）。 
【請求項７】
前記第１壁（１１、６３）は、矩形形状を有しており、
前記複数のリブ（３２）の高さは、前記第１壁（１１、６３）の四隅の角部うち前記吸込口（１３ａ、６４ａ）に近い２つの角部と前記グリル（５１、７１、７２）の中心とによって囲まれた領域において、前記ファン（４）の半径方向内側に位置するリブ（３２）から外側に位置するリブ（３２）まで徐々に大きくなるように、設定されている、
請求項１または２に記載の室外機（１、６１）。
【請求項８】
前記複数のリブ（３２）の高さは、前記第１壁（１１、６３）の四隅の角部うち前記吸込口（１３ａ、６４ａ）に近い２つの角部と前記グリル（５１、７１、７２）の中心とによって囲まれた領域以外の領域において、前記ファン（４）の半径方向内側に位置するリブ（３２）から外側に位置するリブ（３２）まで同じになるように設定されている、
請求項７に記載の室外機（１、６１）。
【請求項９】
前記吹出口（６５）は、第１開口（６５ａ）と、第２開口（６５ｂ）とを有しており、
前記第１開口（６５ａ）および前記第２開口（６５ｂ）は、前記第１壁（６３）と前記第２壁（６４）とが接合される縁（６６）が延びる方向に並んで配置され、
前記グリル（６、４１、５１、７１〜７８）は、前記第１開口（６５ａ）および前記第２開口（６５ｂ）にそれぞれ配置されている、
請求項１から８のいずれかに記載の室外機（６１）。
【発明の詳細な説明】
【技術分野】
【０００１】
本発明は、空気調和機の室外機に関するものである。
【背景技術】
【０００２】
従来の空気調和機の室外機では、特許文献１〜２に記載されているように、室外機の吹出側グリルに、吸込側への空気の回り込み（ショートサーキット）を防止するために、複数のリブが設けられているものがある。
【０００３】
具体的には、これらの室外機は、吹出口を有する前壁および吸込口を有する側壁を有するケーシングと、ケーシング内部に収納されたプロペラファンと、吹出口に配置された吹出側グリルとを備えている。プロペラファンは、ケーシング内部において吹出口に対向する位置に配置されている。吹出側グリルは、プロペラファンの半径方向に互いに離間して配置された複数のリブを有している。これらの複数のリブの高さ、すなわち、プロペラファンの回転軸方向におけるリブの高さは、プロペラファンの半径方向内側に位置するリブから外側に位置するリブまで同じである。
【０００４】
複数のリブは、プロペラファンによって吹出口からケーシング外部に吹き出される空気を、当該プロペラファンの回転軸方向へ案内することにより、当該空気が側壁に形成された吸込口への回り込み、いわゆるショートサーキットを回避する。
【先行技術文献】
【特許文献】
【０００５】
【特許文献１】特開平１０−３１１５６０号公報
【特許文献１】特開平１１−１１５７７号公報
【発明の概要】
【発明が解決しようとする課題】
【０００６】
プロペラファンによって吹出口からケーシング外部に吹き出される空気は、プロペラファンの中心側ではほぼ回転軸方向へ流れるが、プロペラファンの外周側では遠心力によって当該プロペラファンの半径方向外側へ傾斜する方向へ流れる傾向がある。そのため、上記の室外機のように、同じ高さの複数のリブを設けた場合では、プロペラファンの外周側ではリブによって空気を回転軸方向へ案内する効果が十分に発揮されるが、当該プロペラファンの中心側では、リブによる空気を案内する効果は低く、むしろ、リブの先端がプロペラファンに近いことによって、空気抵抗が上昇し、それによって消費電力が上がるとともに騒音が増大するおそれがある。
【０００７】
本発明は、上記のような事情に鑑みてなされたものであり、ショートサーキット防止用のリブによる空気抵抗の増加を抑え、それによって消費電力および騒音を抑えることが可能な室外機を提供することを目的とする。
【課題を解決するための手段】
【０００８】
本発明の空気調和機の室外機は、（１、６１）は、吹出口（１１ａ、６５）を有する第１壁（１１、６３）および吸込口（１３ａ、６４ａ）を有する第２壁（１３、６４）を有し、前記第１壁（１１、６３）が前記第２壁（１３、６４）に隣接して当該第２壁（１３、６４）と異なる方向を向くケーシング（２、６２）と、前記ケーシング（２、６２）の内部に収納され、前記吹出口（１１ａ、６５）に対向する位置に配置されたファン（４）と、前記吹出口（１１ａ、６５）に配置され、前記ファン（４）の半径方向に互いに離間して配置された複数のリブ（３２）を有するグリル（６、４１、５１、７１〜７８）とを備えており、前記ファン（４）の回転軸方向における前記複数のリブ（３２）の高さは、前記グリル（６、４１，５１、７１〜７８）の少なくとも一部の領域において、前記ファン（４）の半径方向内側に位置するリブ（３２）から外側に位置するリブ（３２）まで徐々に大きくなるように設定されていることを特徴とする。
【０００９】
この構成によれば、複数のリブ（３２）の高さをファンの半径方向内側に位置するリブ（３２）から外側に位置するリブ（３２）まで徐々に大きくなるように設定することにより、吸込口（１３ａ、６４ａ）へ回り込む空気が少ない半径方向内側のリブ（３２）については当該リブ（３２）の高さを低く抑えることによってリブ（３２）による空気抵抗の増加を抑えることができる。その一方で、吸込口（１３ａ、６４ａ）へ回り込む空気が多いファン（４）の半径方向外側に近づくにつれて当該半径方向外側に位置するリブ(３２）の高さを徐々に高くしていくことにより、吹出口（１１ａ、６５）から吸込口（１３ａ、６４ａ）への空気の流れを積極的に阻止することが可能である。これにより、複数のリブ（３２）によってショートサーキットを防止しながら、リブ（３２）による空気抵抗の増加を抑えることができる。その結果、消費電力および騒音を抑えることが可能である。
【００１０】
前記グリル（６）は、前記リブ（３２）の間において当該リブ（３２）と平行に延びる桟（３８）をさらに備えており、前記リブ（３２）は、当該リブ（３２）の間に前記桟（３８）を介在した状態で、前記半径方向に並んで配置されているのが好ましい。
【００１１】
この構成によれば、複数のリブ（３２）は、ファン（４）の半径方向において、リブ（３２）と平行に延びる桟（３８）をリブ（３２）間に介在した状態で配置されているので、リブ（３２）の間隔を広げることが可能になる。その結果、リブ（３２）による空気抵抗の増加をさらに抑えることが可能になり、消費電力および騒音をさらに抑えることが可能である。また、リブ（３２）の間隔を広くしても、桟（３８）によって吹出口（１１ａ）への異物の侵入を防止することができる。
【００１２】
前記複数のリブ（３２）の高さは、前記グリル（６）のうち当該グリル（６）の中心よりも前記吸込口（１３ａ、６４ａ）に近い領域において、前記ファン（４）の半径方向内側に位置するリブ（３２）から外側に位置するリブ（３２）まで徐々に大きくなるように設定されているのが好ましい。
【００１３】
グリル（６）の中心よりも吸込口（１３ａ、６４ａ）に近い領域では、吹出口（１１ａ、６５）から吸込口（１３ａ、６４ａ）へ空気が回り込みやすい。このため、吸込口（１３ａ、６４ａ）側の領域において、ファン（４）の半径方向内側に位置するリブ（３２）から外側に位置するリブ（３２）まで徐々に高さが大きくなるように設定されていれば、ショートサーキットを効果的に防止することができる。それとともに、リブ（３２）による空気抵抗の増加をさらに抑えることが可能になり、消費電力および騒音をさらに抑えることが可能である。
【００１４】
前記複数のリブ（３２）の高さは、前記グリル（６）のうち当該グリル（６）の中心よりも前記吸込口（１３ａ、６４ａ）から遠い領域において、前記ファン（４）の半径方向内側に位置するリブ（３２）から外側に位置するリブ（３２）まで同じになるように設定されているのが好ましい。
【００１５】
グリル（６）の中心よりも吸込口（１３ａ、６４ａ）に遠い領域では、吹出口（１１ａ、６５）から吸込口（１３ａ、６４ａ）へ回り込む空気がほとんどないので、そのような領域において複数のリブ（３２）の高さを同じにすることにより、グリル（６）の形状を簡素化することが可能である。
【００１６】
前記複数のリブ（３２）の高さは、前記グリル（４１）を当該グリル（４１）の中心を通る対角線で４分割したうちの前記吸込口に近い１／４の領域において、前記ファン（４）の半径方向内側に位置するリブ（３２）から外側に位置するリブ（３２）まで徐々に大きくなるように設定されているようにしてもよい。
【００１７】
グリル（４１）の中心を通る対角線で当該グリル（４１）を４分割したうちの吸込口に近い１／４の領域では、吹出口から吸込口へ空気がとくに回り込みやすい。このため、吸込口（１３ａ、６４ａ）側の領域において複数のリブ（３２）の高さをファン（４）の半径方向内側に位置するリブ（３２）から外側に位置するリブ（３２）まで徐々に高さが大きくなるように設定されていれば、ショートサーキットをより効果的に防止することができる。それとともに、リブ（３２）による空気抵抗の増加をより一層抑えることが可能になり、消費電力および騒音をより一層抑えることが可能である。
【００１８】
前記複数のリブ（３２）の高さは、前記グリル（４１）を当該グリル（４１）の中心を通る対角線で４分割したうちの前記吸込口（１３ａ、６４ａ）に近い１／４の領域以外の領域において、前記ファン（４）の半径方向内側に位置するリブ（３２）から外側に位置するリブ（３２）まで同じになるように設定されているのが好ましい。
【００１９】
グリル（４１）の中心を通る対角線で当該グリル（４１）を４分割したうちの吸込口（１３ａ、６４ａ）に近い１／４の領域以外の領域では、吹出口（１１ａ、６５）から吸込口（１３ａ、６４ａ）へ回り込む空気が少ないので、そのような領域において複数のリブ（３２）の高さを同じにすることにより、グリル（４１）の形状を簡素化することが可能である。
【００２０】
前記第１壁（１１、６３）は、矩形形状を有しており、前記複数のリブ（３２）の高さは、前記第１壁（１１、６３）の四隅の角部うち前記吸込口（１３ａ、６４ａ）に近い２つの角部と前記グリル（５１、７１、７２）の中心とによって囲まれた領域において、前記ファン（４）の半径方向内側に位置するリブ（３２）から外側に位置するリブ（３２）まで徐々に大きくなるように、設定されているようにしてもよい。
【００２１】
吹出口（１１ａ、６５）を有する第１壁（１１、６３）の四隅の角部うち吸込口（１３ａ、６４ａ）に近い２つの角部と前記グリル（５１、７１、７２）の中心とによって囲まれた領域では、吹出口（１１ａ、６５）から吸込口（１３ａ、６４ａ）へ空気がとくに回り込みやすい。このため、吸込口（１３ａ、６４ａ）側の領域において複数のリブ（３２）の高さをファン（４）の半径方向内側に位置するリブ（３２）から外側に位置するリブ（３２）まで徐々に高さを大きくなるように設定されていれば、ショートサーキットをより効果的に防止することができる。それとともに、リブ（３２）による空気抵抗の増加をより一層抑えることが可能になり、消費電力および騒音をより一層抑えることが可能である。
【００２２】
前記複数のリブ（３２）の高さは、前記第１壁（１１、６３）の四隅の角部うち前記吸込口（１３ａ、６４ａ）に近い２つの角部と前記グリル（５１、７１、７２）の中心とによって囲まれた領域以外の領域において、前記ファンの半径方向内側に位置するリブ（３２）から外側に位置するリブ（３２）まで同じになるように設定されているのが好ましい。
【００２３】
吹出口（１１ａ、６５）を有する第１壁（１１、６３）の四隅の角部うち吸込口（１３ａ、６４ａ）に近い２つの角部と前記グリル（５１、７１、７２）の中心とによって囲まれた領域以外の領域では、吹出口（１１ａ、６５）から吸込口（１３ａ、６４ａ）へ回り込む空気が少ないので、そのような領域において複数のリブ（３２）の高さを同じにすることにより、グリル（５１、７１、７２）の形状を簡素化することが可能である。
【００２４】
前記吹出口（６５）は、第１開口（６５ａ）と、第２開口（６５ｂ）とを有しており、
前記第１開口（６５ａ）および前記第２開口（６５ｂ）は、前記第１壁（６３）と前記第２壁（６４）とが接合される縁が延びる方向に並んで配置され、前記グリル（６、４１，５１、７１〜７８）は、前記第１開口（６５ａ）および前記第２開口（６５ｂ）にそれぞれ配置されているようにしてもよい。
【００２５】
吹出口（６５）が第１開口（６５ａ）および第２開口（６５）ｂを有し、各開口（６５ａ、６５ｂ）にグリル（６、４１、５１、７１〜７８）が配置される場合においても、各グリルにおける吸込口（６４ａ）に近い領域（例えば、グリルの中心よりも吸込口（６４ａ）に近い領域、グリルの中心を通る対角線で当該グリルを４分割したうちの吸込口（６４ａ）に近い１／４の領域、または第１壁（１１、６３）の四隅の角部うち吸込口（６４ａ）に近い２つの角部と各グリルの中心とによって囲まれた領域など）では、各開口（６５ａ、６５ｂ）から吸込口（６４ａ）へ空気が回り込みやすい。そこで、各グリルにおけるそのような領域において複数のリブ（３２）の高さをファン（４）の半径方向内側に位置するリブ（３２）から外側に位置するリブ（３２）まで徐々に大きくなるように設定することにより、各開口（６５ａ、６５ｂ）から吹き出す空気によるショートサーキットを効果的に防止することができる。それとともに、リブ（３２）による空気抵抗の増加をさらに抑えることが可能になり、消費電力および騒音をさらに抑えることが可能である。
【発明の効果】
【００２６】
以上のように、本発明によれば、ショートサーキット防止用のリブによる空気抵抗の増加を抑えることができ、それによって消費電力および騒音を抑えることができる。
【図面の簡単な説明】
【００２７】
【図１】本発明の第１実施形態にかかる空気調和機の室外機の正面図である。
【図２】図１の室外機の内部構成を示す横断面図である。
【図３】図１の吹出グリルの正面図である。
【図４】図３のＩＶ−ＩＶ断面図である。
【図５】図１の吹出グリルにおける吹出口に対向する面を上に向けた状態の当該吹出グリルの斜視図である。
【図６】本発明の第１実施形態の変形例の吹出グリルの断面図である。
【図７】本発明の第１実施形態の他の変形例の吹出グリルの断面図である。
【図８】図４、図６および図７の吹出ノズルにおけるファンの半径方向内側に位置するリブから外側に位置するリブまでリブの高さが変化する様子を示すグラフである。
【図９】本発明の第１実施形態のさらに他の変形例の吹出グリルの拡大断面図である。
【図１０】本発明の第１実施形態のさらに他の変形例の吹出グリルの拡大断面図である。
【図１１】本発明の第２実施形態にかかる空気調和機の室外機の正面図である。
【図１２】図１１の吹出グリルにおける吹出口に対向する面を上に向けた状態の当該吹出グリルの斜視図である。
【図１３】本発明の第２実施形態の変形例の吹出グリルの斜視図である。
【図１４】本発明の第３実施形態にかかる空気調和機の室外機の正面図である。
【図１５】図１４の吹出グリルにおける吹出口に対向する面を上に向けた状態の当該吹出グリルの斜視図である。
【図１６】本発明の第４実施形態にかかる空気調和機の室外機の正面図である。
【図１７】本発明の第４実施形態の変形例にかかる空気調和機の室外機の正面図である。
【図１８】本発明の第４実施形態の他の変形例にかかる空気調和機の室外機の正面図である。
【図１９】本発明の第４実施形態のさらに他の変形例にかかる空気調和機の室外機の正面図である。
【図２０】本発明の第４実施形態のさらに他の変形例にかかる空気調和機の室外機の正面図である。
【図２１】本発明の第４実施形態のさらに他の変形例にかかる空気調和機の室外機の正面図である。
【発明を実施するための形態】
【００２８】
以下、本発明の実施形態にかかる空気調和機の室外機について図面を参照しながら詳細に説明する。
【００２９】
（第１実施形態）
図１〜２に示される空気調和機の室外機１は、ケーシング２と、熱交換器３と、プロペラファン４と、プロペラファン４を回転駆動するファンモータ５と、吹出グリル６と、圧縮機７と、仕切り板８と、吸込みグリル９と、ベルマウス１０とを備えている。
【００３０】
ケーシング２は、前壁１１と、当該前壁１１の後方側（符号Ａ２で示された矢印と反対方向の側）に対向する後壁１２と、両側の側壁１３、１４と、底板１５と、天板１６とを備え、これらによって、内部空間２１を有する横断面直方体形状のケーシング２が構成されている。
【００３１】
前壁１１は、矩形形状の平板からなり、矩形形状の吹出口１１ａを有する。前壁１１は、本発明の第１壁の概念に含まれる。また、両側の側壁１３、１４は、前壁１１に隣接して当該前壁１１と直交する方向を向いている。両側の側壁１３、１４のうち一方の側壁１３は、矩形形状の吸込口１３ａを有する。側壁１３は、本発明の第２壁の概念に含まれる。吸込口１３ａは、側壁１３の全高よりもやや狭い範囲に形成されている。吸込口１３ａの上下方向の幅は、吹出口１１ａの上下幅よりも広い。さらに、後壁１２には矩形形状の開口１２ａが形成されている。吸込口１３ａおよび開口１２ａは、それぞれ吸込みグリル９によって覆われている。
【００３２】
ケーシング２の内部空間２１は、仕切り板８によって２つに仕切られ、それによって、ケーシング２の内部には、熱交換室２１ａおよび機械室２１ｂが形成されている。
【００３３】
熱交換室２１ａには、Ｌ字形状の横断面を有する熱交換器３が収納されている。熱交換器３の一方の外面は、後壁１２の開口１２ａに対向し、他方の外面は側壁１３の吸込口１３ａにそれぞれ対向する。さらに、熱交換室２１ａ内部でかつ熱交換器３の内面側には、前壁１１側から順にプロペラファン４、およびファンモータ５が配置されている。ファンモータ５の回転軸５ａには、プロペラファン４が連結されている。
【００３４】
プロペラファン４は、前壁１１に形成された吹出口１１ａに対向する位置に配置されている。吹出口１１ａの周縁には、プロペラファン４を取り囲むベルマウス１０が配置されている。
【００３５】
圧縮機７は、熱交換器３から出た冷媒または当該熱交換器３に入る前の冷媒を圧縮するものであり、膨張弁などの冷媒回路を構成する他の部品（図示せず）とともにケーシング２内部の機械室２１ｂに収納されている。
【００３６】
吹出グリル６は、前壁１１の前面側において吹出口１１ａを覆う位置に配置されている。
【００３７】
吹出グリル６は、図３に示されるように、矩形形状の枠部３１と、枠部３１の内部において、プロペラファン４の半径方向Ｅに互いに離間して配置され、吹出グリル６の中心Ｏの周方向に延びる複数のリブ３２と、当該半径方向Ｅへ向けて放射状に広がるように配置され、リブ３２間を連結する複数の半径方向桟３３と、中心Ｏに配置され、半径方向桟３３と連結する中央板部３４とを備えている。これらの枠部３１、リブ３２、半径方向桟３３および中央板部３４は、合成樹脂などによって一体成形されている。
【００３８】
複数のリブ３２は、プロペラファン４の半径方向Ｅに互いに離間して配置され、具体的には、少なくとも３つ以上のリブ３２が、半径方向Ｅに並んで配置されている。各リブ３２は、回転軸方向Ｃと平行に延びている。リブ３２間の隙間３５は、吹出口１１ａから吹き出した空気が通過可能で、かつ指などの異物の挿入を防止できる程度の間隔に設定されている。
【００３９】
図３〜５に示されるように、プロペラファン４の回転軸方向Ｃ（すなわち、回転軸５ａの延びる方向）における複数のリブ３２の高さは、一部の領域において、プロペラファン４の半径方向Ｅ内側に位置するリブから外側に位置するリブまで徐々に大きくなるように設定されている。具体的には、各リブ３２は、吹出グリル６のうち当該吹出グリル６の中心Ｏよりも吸込口１３ａに近い領域Ｒ１（すなわち、中心Ｏを通る垂線Ｌ１よりも吸込口１３ａに近い側の吹出グリル６の左半分の領域）にある第１部分３２ａと、その領域Ｒ１以外の吸込口１３ａから遠い領域Ｒ２（同吹出グリル６の右半分の領域）にある第２部分３２ｂとを有する。ここで、半径方向Ｅに隣合うリブ３２の第１部分３２ａの高さを比べると、半径方向内側の第１部分３２ａよりも半径方向外側の第１部分３２ａの方が高く、さらに、その半径方向外側の第１部分３２ａよりもさらに外側の第１部分３２ａの方が高くなるように、リブ３２の第１部分３２ａの高さが設定されている。すなわち、リブ３２の第１部分３２ａの高さは、プロペラファン４の半径方向Ｅ内側に位置するリブ３２の第１部分３２ａから外側に位置するリブ３２の第１部分３２ａまで徐々に大きくなるように設定されている。例えば、図４に示されるリブ３２の第１部分３２ａ２の高さｈ２は、半径方向Ｅ内側に位置するリブ３２の第１部分３２ａ１の高さｈ１よりも高くなっている。したがって、リブ３２の第１部分３２ａの先端は、図４に示されるように、半径方向Ｅ外側に位置するほど吹出口１１ａを向く側（図４の矢印Ｂの向き）に近くなるように階段状に並ぶ。
【００４０】
これらのリブ３２の第１部分３２ａの高さは、例えば、図４および図８のグラフで示される。図８のグラフは、吹出グリル６の中心Ｏから当該吹出グリル６の外周端Ｅ１までの間の変化量Ｅと、それらの間のリブ３２の第１部分３２ａの高さとの関係を示すグラフである。この図８のグラフの直線Ｉに示されるように、リブ３２の第１部分３２ａの高さが一定の増加分で高さが徐々に増加する（すなわち線形的に増加する）ように設定されている。
【００４１】
一方、複数のリブ３２において、吹出グリル６のうち当該吹出グリル６の中心Ｏよりも吸込口１３ａから遠い領域Ｒ２にあるリブ３２の第２部分３２ｂの高さは、プロペラファン４の半径方向Ｅ内側に位置するリブ３２の第２部分３２ｂから外側に位置するリブ３２の第２部分３２ｂまで同じになるように設定されている。そのため、この領域Ｒ２では、同じ高さの第２部分３２ｂが並んでいるので、平坦な形状になっている。
【００４２】
上記のように構成された室外機１では、ファンモータ５がプロペラファン４を回転駆動させると、ケーシング２外部の空気は、図２の矢印Ａ１の向きに流れ、ケーシング２の側壁１３および後壁１２の吸込口１３ａ、１２ａからケーシング２内部の熱交換室２１ａに導入される。熱交換室２１ａに導入された空気は、熱交換器３を通過して熱交換器３内部の冷媒と熱交換を行う。そして、熱交換された空気は、矢印Ａ２のように、ケーシング２の前壁１１に形成された吹出口１１ａから前方へ吹き出す。吹出口１１ａから吹き出した空気は、吹出グリル６を通過する。吹出グリル６の複数のリブ３２において、吹出グリル６の中心Ｏよりも吸込口１３ａに近い領域Ｒ１にある第１部分３２ａでは、プロペラファン４の半径方向Ｅ内側に位置するリブ３２の第１部分３２ａから外側に位置するリブ３２の第１部分３２ａまで徐々に高さが大きくなるように設定されている。そのため、これらリブ３２の第１部分３２ａによってリブ３２の第１部分３２ａ間を流れる空気が半径方向外側へ流れないように回転軸方向Ｃへ案内することが可能になる。その結果、前壁１１の吹出口１１ａから側壁１３の吸込口１３ａへの空気の回り込み（図２の矢印Ａ３の流れ）を阻止することが可能である。
【００４３】
（第１実施形態の特徴）
（１）
第１実施形態の室外機１では、吹出グリル６の複数のリブ３２において、吹出グリル６の中心Ｏよりも吸込口１３ａに近い領域Ｒ１に位置する第１部分３２ａの高さが、プロペラファン４の半径方向Ｅ内側に位置するリブ３２の第１部分３２ａから外側に位置するリブ３２の第１部分３２ａまで徐々に大きくなるように設定されている。これにより、吸込口１３ａへ回り込む空気が少ない半径方向Ｅ内側のリブ３２の第１部分３２ａについては当該リブ３２の第１部分３２ａの高さを低く抑えることによってリブ３２の第１部分３２ａによる空気抵抗の増加を抑えることが可能である。その一方で、プロペラファン４の半径方向Ｅ外側では、風速が大きく、吸込口１３ａへ回り込む空気が多いので、当該半径方向Ｅ外側に近づくにつれて当該半径方向Ｅ外側に位置するリブ３２の第１部分３２ａの高さを徐々に高くしていくことにより、吹出口１１ａから吸込口１３ａへの空気の流れを積極的に阻止することが可能である。その結果、複数のリブ３２の第１部分３２ａによってショートサーキット（すなわち、図２の矢印Ａ３の空気の流れ）を防止しながら、リブ３２の第１部分３２ａによる空気抵抗の増加を抑えることができる。その結果、消費電力および騒音を抑えることが可能である。
【００４４】
（２）
吹出グリル６の中心Ｏよりも吸込口１３ａに近い領域Ｒ１では、吹出口１１ａから吸込口１３ａへ空気がとくに回り込みやすい。そこで、第１実施形態の室外機１では、吸込口１３ａ側の領域Ｒ１において、複数のリブ３２の第１部分３２ａの高さは、プロペラファン４の半径方向Ｅ内側に位置するリブ３２の第１部分３２ａから外側に位置するリブ３２の第１部分３２ａまで徐々に大きくなるように設定されている。これにより、ショートサーキットを効果的に防止することができる。それとともに、リブ３２の第１部分３２ａによる空気抵抗の増加をさらに抑えることが可能になり、消費電力および騒音をさらに抑えることが可能である。
【００４５】
（３）
第１実施形態の室外機１では、吹出グリル６の中心Ｏよりも吸込口１３ａに遠い領域Ｒ２では、吹出口１１ａから吸込口１３ａへ回り込む空気がほとんどないので、そのような領域Ｒ２において複数のリブ３２の第２部分３２ｂの高さを同じになるように設定されている。この領域Ｒ２では、同じ高さのリブ３２の第２部分３２ｂが並んでいるので、平坦な形状になっているので、吹出グリル６の形状を簡素化することが可能である。
【００４６】
（第１実施形態の変形例）
（Ａ）
上記第１実施形態の室外機１では、図４および図８のグラフの直線Ｉに示されるように、吹出グリル６のリブ３２の第１部分３２ａの高さが一定の増加分で高さが徐々に増加する（すなわち線形的に増加する）ように設定されているが、本発明はこれに限定されるものではなく、プロペラファン４の半径方向Ｅ内側に位置するリブ３２の第１部分３２ａから外側に位置するリブ３２の第１部分３２ａまで徐々に大きくなるように設定されていれば、リブ３２の第１部分３２ａの高さの増加の仕方をいろいろ設定することが可能である。
【００４７】
例えば、図６および図８のグラフの曲線ＩＩに示されるように、吹出グリル６のリブ３２の第１部分３２ａの高さを、半径方向Ｅ内側のリブ３２の第１部分３２ａから外側のリブ３２の第１部分３２ａへ向かうにつれて累乗的に増加（例えば、Ｙ＝Ｘ２のように変化）するようにしてもよい。その場合、半径方向Ｅ外側へ向かうにつれて、隣合うリブ３２の第１部分３２ａの高さの差が徐々に大きくなる。
【００４８】
さらに、図７および図８のグラフの曲線ＩＩＩに示されるように、吹出グリル６のリブ３２の第１部分３２ａの高さを、半径方向Ｅ内側のリブ３２から外側のリブ３２へ向かうにつれて対数的に増加（例えば、Ｙ＝ｌｏｇ１０Ｘのように変化）するようにしてもよい。その場合、半径方向Ｅ外側へ向かうにつれて、隣合うリブ３２の第１部分３２ａの高さの差が徐々に小さくなる。
【００４９】
上記図６〜７に示されるような吹出グリル６の形状であっても、上記第１実施形態の吹出グリル６（図４参照）と同様に、複数のリブ３２の第１部分３２ａによってショートサーキット（すなわち、図２の矢印Ａ３の空気の流れ）を防止しながら、リブ３２の第１部分３２ａによる空気抵抗の増加を抑えることができ、その結果、消費電力および騒音を抑えることが可能である。
【００５０】
（Ｂ）
上記実施形態では、リブ３２の第１部分３２ａの高さが一定の増加分で高さが徐々に増加する（すなわち線形的に増加する）ように設定されているが、本発明はこれに限定されるものではなく、そのうちの一部の隣接するリブ３２の第１部分３２ａの高さが同じであってもよい。
【００５１】
（Ｃ）
また、上記第１実施形態の吹出グリル６では、複数のリブ３２の第１部分３２ａが半径方向Ｅに連続的に並んでいるが、本発明はこれに限定されるものではなく、図９に示されるように、リブ３２の第１部分３２ａの間に当該リブ３２の第１部分３２ａと平行に延びる桟３８などが介在して、リブ３２の第１部分３２ａが間引いて配置されるようにしてもよい。そのような構成では、複数のリブ３２の第１部分３２ａは、プロペラファン４の半径方向Ｅにおいて、リブ３２の第１部分３２ａと平行に延びる桟３８をリブ３２の第１部分３２ａ間に介在した状態で配置されているので、リブ３２の第１部分３２ａの間隔を広げることが可能になる。その結果、リブ３２の第１部分３２ａによる空気抵抗の増加をさらに抑えることが可能になり、消費電力および騒音をさらに抑えることが可能である。また、リブ３２の第１部分３２ａの間隔を広くしても、桟３８によって吹出口１１ａへの異物の侵入を防止することができる。
【００５２】
（Ｄ）
上記の第１実施形態の吹出グリル６では、図４に示されるように複数のリブ３２の第１部分３２ａが回転軸方向Ｃに沿って平行に延び、それぞれのリブ３２の第１部分３２ａの断面が矩形形状を有しているが、本発明はこれに限定されるものではなく、図１０のように、リブ３２の第１部分３２ａの先端３２ｃを半径方向内側へ向けて、リブ３２の第１部分３２ａの全体の形状を円弧形状になるようにしてもよい。その場合、半径方向Ｅの内側から外側へ向けて傾斜して流れる空気流れＡ４を円滑に回転軸方向Ｃへ案内することが可能になり、リブ３２の第１部分３２ａの先端３２ｃ付近で気流の剥離が生じて騒音などが発生するおそれを低減することが可能である。
【００５３】
（Ｅ）
上記第１実施形態では、吹出グリル６の中心Ｏよりも吸込口１３ａに遠い領域Ｒ２において複数のリブ３２の第２部分３２ｂの高さを同じになるように設定されているが、本発明はこれに限定されるものではなく、吸込口１３ａに近い領域Ｒ１内の複数のリブ３２の第１部分３２ａと同様に、領域Ｒ２のリブ３２の第２部分３２ｂの高さも、半径方向Ｅ内側のリブ３２の第１部分３２ａから外側のリブ３２の第１部分３２ａへ向かうにつれて大きくなるように設定してもよい。
【００５４】
（Ｆ）
上記第１実施形態では、吹出グリル６の複数のリブ３２は、当該吹出グリル６の中心Ｏの周方向に円弧状に延びているが、本発明はこれに限定されるものではなく、直線状に延びるリブを直線Ｌ１と平行になるように半径方向Ｅに並べて配置してもよい。その場合も、半径方向Ｅ外側に近づくにつれて当該半径方向Ｅ外側に位置するリブの高さを徐々に高くしていくことにより、吹出口１１ａから吸込口１３ａへの空気の流れを積極的に阻止することが可能である。
【００５５】
（第２実施形態）
上記第１実施形態の吹出グリル６では、側壁１３の吸込口１３ａに近い領域の一例として、吹出グリル６の中心Ｏを通る垂線Ｌ１よりも吸込口１３ａに近い領域Ｒ１（すなわち、吹出グリル６の左半分の領域）が例示され、その領域Ｒ１において複数のリブ３２の第１部分３２ａの高さをプロペラファン４の半径方向Ｅ内側に位置するリブ３２の第１部分３２ａから外側に位置するリブ３２の第１部分３２ａまで徐々に大きくなるように設定されているが、本発明はこれに限定されるものではなく、吸込口１３ａに近い領域の他の例として、種々の領域を設定することが可能である。
【００５６】
例えば、第２実施形態として、図１１〜１２に示されるように、吹出グリル４１の対角線で４分割したうちの吸込口１３ａに近い１／４の領域Ｒ３において、リブ３２の第１部分３２ａの高さを変えるようにしてもよい。
【００５７】
具体的には、領域Ｒ３は、矩形形状の吹出グリル６において、吹出グリル４１の４つの角部４２ａ、４２ｂ、４２ｃ、４２ｄのうちの吸込口１３ａに近い角部４２ａおよび角部４２ｂと吹出グリル４１の中心Ｏとをそれぞれ結ぶ直線Ｌ２１、Ｌ２２によって囲まれた領域である。直線Ｌ２１は、角部４２ａと角部４２ｄとの対角線の一部を構成する。直線Ｌ２２は、角部４２ｂと角部４２ｃとの対角線の一部を構成する。
【００５８】
複数のリブ３２において領域Ｒ３内にある複数のリブ３２の第１部分３２ａの高さは、上記第１実施形態と同様に、プロペラファン４の半径方向Ｅ内側に位置するリブ３２の第１部分３２ａから外側に位置するリブ３２の第１部分３２ａまで徐々に大きくなるように、例えば線形的に増加するように設定されている。
【００５９】
吹出グリル４１の中心Ｏを通る対角線で当該吹出グリル４１を４分割したうちの吸込口１３ａに近い１／４の領域Ｒ３では、吹出口１１ａから吸込口１３ａへ空気がとくに回り込みやすい。そこで、第２実施形態では、そのような領域Ｒ３において複数のリブ３２の第１部分３２ａの高さは、プロペラファン４の半径方向Ｅ内側に位置するリブ３２の第１部分３２ａから外側に位置するリブ３２の第１部分３２ａまで徐々に大きくなるように設定されている。これにより、ショートサーキットをより効果的に防止することができる。それとともに、リブ３２の第１部分３２ａによる空気抵抗の増加をより一層抑えることが可能になり、消費電力および騒音をより一層抑えることが可能である。
【００６０】
また、この第２実施形態の吹出グリル４１においても、吸込口１３ａから遠い領域Ｒ４のリブ３２の第２部分３２ｂの高さは同じに設定されている。すなわち、図１１〜１２に示される複数のリブ３２の第２部分３２ｂの高さは、吹出グリル４１を当該吹出グリル４１の中心Ｏを通る対角線で４分割したうちの吸込口１３ａに近い１／４の領域Ｒ３以外の領域Ｒ４において、プロペラファン４の半径方向Ｅ内側に位置するリブ３２の第１部分３２ａから外側に位置するリブ３２の第１部分３２ａまで同じになるように設定されている。この領域Ｒ４では、吹出口１１ａから吸込口１３ａへ回り込む空気が少ないので、そのような領域Ｒ４において複数のリブ３２の第２部分３２ｂの高さを同じにすることにより、吹出グリル４１の形状を簡素化することが可能である。
【００６１】
なお、吹出グリル４１の上記以外の構造については、第１実施形態の吹出グリル６の構造と共通している。
【００６２】
（第２実施形態の変形例）
上記第２実施形態の吹出グリル４１では、図１２に示されるように、吸込口１３ａに近い１／４の領域Ｒ３では複数のリブ３２の第１部分３２ａが他の領域Ｒ４のリブ３２の第２部分３２ｂよりも高い。そのため、直線Ｌ２１、Ｌ２２の位置においてリブ３２の第１部分３２ａとリブ３２の第２部分３２ｂとの間に垂直に切り立った段差部が生じ、作業者の指などがこの段差部に接触するおそれがある。また、段差部で気流の剥離が生じて騒音が発生するおそれがある。そこで、図１３に示されるように、リブ３２の第１部分３２ａとリブ３２の第２部分３２ｂとの間の段差を滑らかにつなぐように斜めに延びる面取り部４３を形成してもよい。これにより、垂直に切り立った段差部を無くすことが可能であり、段差部による指など接触や騒音の発生などを回避することが可能である。。
【００６３】
（第３実施形態）
上記第２実施形態の吹出グリル４１では、図１１〜１２に示されるように吹出グリル４１の対角線で４分割したうちの吸込口１３ａに近い１／４の領域Ｒ３において、リブ３２の第１部分３２ａの高さを変えるようにしているが、本発明はこれに限定されるものではなく、吸込口１３ａに近い領域のさらに他の例として、以下のような領域も設定することが可能である。
【００６４】
すなわち、第３実施形態として、図１４〜１５に示される吹出グリル５１のように、ケーシング２前壁１１の角部１１ａ、１１ｂと吹出グリル５１の中心Ｏとを結んだ線Ｌ３１、Ｌ３２で囲まれた領域Ｒ５において、リブ３２の第１部分３２ａの高さを変えるようにしてもよい。
【００６５】
具体的には、領域Ｒ５は、矩形形状の前壁１１の４つの角部１１ａ、１１ｂ、１１ｃ、１１ｄのうちの吸込口１３ａに近い角部１１ａおよび角部１１ｂと吹出グリル５１の中心Ｏとをそれぞれ結ぶ直線Ｌ３１、Ｌ３２によって囲まれた領域である。
【００６６】
複数のリブ３２において領域Ｒ５内にある複数のリブ３２の第１部分３２ａの高さは、上記第１〜２実施形態と同様に、プロペラファン４の半径方向Ｅ内側に位置するリブ３２の第１部分３２ａから外側に位置するリブ３２の第１部分３２ａまで徐々に大きくなるように、例えば線形的に増加するように設定されている。
【００６７】
吹出口１１ａを有する前壁１１の四隅の角部１１ａ〜１１ｄのうち吸込口１３ａに近い２つの角部１１ａ、１１ｂと吹出グリル５１の中心Ｏとによって囲まれた領域Ｒ５では、吹出口１１ａから吸込口１３ａへ空気がとくに回り込みやすい。そこで、第３実施形態では、そのような領域Ｒ５において複数のリブ３２の第１部分３２ａの高さは、プロペラファン４の半径方向Ｅ内側に位置するリブ３２の第１部分３２ａから外側に位置するリブ３２の第１部分３２ａまで徐々に大きくなるように設定されている。これにより、ショートサーキットをより効果的に防止することができる。それとともに、リブ３２の第１部分３２ａによる空気抵抗の増加をより一層抑えることが可能になり、消費電力および騒音をより一層抑えることが可能である。
【００６８】
また、この第３実施形態の吹出グリル５１においても、吸込口１３ａから遠い領域Ｒ６４のリブ３２の第２部分３２ｂの高さは同じに設定されている。すなわち、図１４〜１５に示される複数のリブ３２の第１部分３２ａの高さは、吸込口１３ａに近い前壁１１の２つの角部１１ａ、１１ｂと吹出グリル５１の中心Ｏとによって囲まれた領域Ｒ５以外の領域Ｒ６において、プロペラファン４の半径方向Ｅ内側に位置するリブ３２の第１部分３２ａから外側に位置するリブ３２の第１部分３２ａまで同じになるように設定されている。この領域Ｒ６では、吹出口１１ａから吸込口１３ａへ回り込む空気が少ないので、そのような領域Ｒ６において複数のリブ３２の第２部分３２ｂの高さを同じにすることにより、吹出グリル５１の形状を簡素化することが可能である。
【００６９】
なお、吹出グリル５１の上記以外の構造については、第１実施形態の吹出グリル６の構造と共通している。
【００７０】
（第４実施形態）
上記第１〜第３実施形態の室外機１では、前壁１１に１つの吹出口１１ａが開口し、当該吹出口１１ａに１つの吹出グリル６が取り付けられているが、本発明はこれに限定されるものではなく、ケーシングの前壁に２つの開口を有する吹出口が形成されている場合において、各開口に取り付けられた吹出グリルのリブの高さを変えてもよい。
【００７１】
例えば、図１６に示される室外機６１は、縦長の直方体形状のケーシング６２と、２つの吹出グリルとして、例えば、上記第１実施形態の吹出グリル６（図１〜５参照）とを備えている。ケーシング６２は、吹出口６５を有する前壁６３と、吸込口６４ａを有する側壁６４とを有する。吹出口６５は、第１開口６５ａと、第２開口６５ｂとを有する。第１開口６５ａおよび第２開口６５ｂは、それぞれ矩形形状を有しており、前壁６３と側壁６４とが接合される縁６６が延びる方向（例えば図１６における垂直方向）に並んで配置されている。第１開口６５ａとおよび第２開口６５ｂの大きさは、それぞれ吹出グリル６の矩形の外周縁と同じか若干小さい大きさになるように設定される。吸込口６４ａは、側壁６４の全高よりもやや狭い範囲に形成されている。吸込口６４ａの上下方向の幅は、吹出口６５の上側の開口６５ａの上縁から下側の開口６５ｂの下縁までの幅よりも広い。
【００７２】
ケーシング６２の内部において、吹出口６５の第１開口６５ａおよび第２開口６５ｂに対向する位置には、それぞれ、プロペラファン（図示せず）が配置されている。
【００７３】
さらに、吹出グリル６は、前壁６３の前面側において、第１開口６５ａおよび第２開口６５ｂａを覆う位置にそれぞれ配置されている。
【００７４】
上記第４実施形態の室外機６１のように、吹出口６５が第１開口６５ａおよび第２開口６５ｂを有し、各開口６５ａ、６５ｂに吹出グリル６が配置される場合においても、各吹出グリル６における中心Ｏよりも吸込口６４ａに近い領域Ｒ１（すなわち、すなわち、中心Ｏを通る垂線Ｌ１よりも吸込口６４ａに近い側の吹出グリル６の左半分の領域）では、各開口６５ａ、６５ｂから吸込口６４ａへ空気が回り込みやすく、ショートサーキットが発生しやすい。しかし、本実施形態では、各吹出グリル６における領域Ｒ１において複数のリブ３２の第１部分３２ａの高さが図４に示されるようにプロペラファン４の半径方向Ｅ内側に位置するリブ３２の第１部分３２ａから外側に位置するリブ３２の第１部分３２ａまで徐々に大きくなるように設定されているので、各開口６５ａ、６５ｂから吹き出す空気によるショートサーキットを効果的に防止することができる。それとともに、リブ３２の第１部分３２ａによる空気抵抗の増加をさらに抑えることが可能になり、消費電力および騒音をさらに抑えることが可能である。
【００７５】
（第４実施形態の変形例）
（Ａ）
上記第４実施形態の室外機６１では、吹出口６５の２つの開口６５ａ、６５ｂにそれぞれ、中心Ｏよりも吸込口６４ａに近い領域Ｒ１のリブ３２の第１部分３２ａが半径方向外側に向かうにつれて徐々に大きくなっている吹出グリル６が取り付けられているが、本発明はこれに限定されるものではない。吸込口６４ａに近い領域のリブが半径方向外側に向かうにつれて徐々に大きくなっている吹出グリルであれば、種々の形状の吹出グリルを吹出口６５の２つの開口６５ａ、６５ｂに取り付けて用いることが可能である。
【００７６】
例えば、第４実施形態の変形例として、図１７に示されるように、第２実施形態の吹出グリル４１（図１１〜１２参照）を吹出口６５の２つの開口６５ａ、６５ｂに取り付けてもよい。各吹出グリル４１における吹出グリル４１の中心Ｏを通る対角線で当該吹出グリル６を４分割したうちの吸込口６４ａに近い１／４の領域Ｒ３（すなわち、吸込口１３ａに近い吹出グリル４１の角部４２ａおよび角部４２ｂと吹出グリル４１の中心Ｏとをそれぞれ結ぶ直線Ｌ２１、Ｌ２２によって囲まれた領域）では、各開口６５ａ、６５ｂから吸込口６４ａへ空気が回り込みやすく、ショートサーキットが発生しやすい。しかし、各吹出グリル４１における領域Ｒ３において複数のリブ３２の第１部分３２ａの高さが図１１〜１２に示されるようにプロペラファン４の半径方向Ｅ内側に位置するリブ３２の第１部分３２ａから外側に位置するリブ３２の第１部分３２ａまで徐々に大きくなるように設定されているので、各開口６５ａ、６５ｂから吹き出す空気によるショートサーキットを効果的に防止することができる。それとともに、リブ３２の第１部分３２ａによる空気抵抗の増加をさらに抑えることが可能になり、消費電力および騒音をさらに抑えることが可能である。
【００７７】
（Ｂ）
また、第４実施形態の他の変形例として図１８に示されるように、吹出口６５の２つの開口６５ａ、６５ｂにそれぞれ取り付けられる吹出グリルとして、吹出グリル７１、７２のように、ケーシング６２の前壁６３の角部６３ａ、６３ｂと吹出グリル７１の中心Ｏ１とを結んだ線Ｌ４１、Ｌ４２および当該角部６３ａ、６３ｂと吹出グリル７２の中心Ｏ２とを結んだ線Ｌ４３、Ｌ４４によって囲まれた領域Ｒ７において、リブ３２の第１部分３２ａの高さを変えるようにしてもよい。
【００７８】
この領域７は、具体的には、矩形形状の前壁６３の４つの角部６３ａ、６３ｂ、６３ｃ、６３ｄのうちの吸込口６４ａに近い角部６３ａおよび角部６３ｂのうちの当該角部６３ａと上側の開口６５ａに取り付けられた吹出グリル７１の中心Ｏ１とを結ぶ直線Ｌ４１と、当該中心Ｏ１と角部６３ｂとを結ぶ線のうちの当該線上の途中の点Ｐ１と中心Ｏ１との線分である直線Ｌ４２と、下側の開口６５ｂに取り付けられた吹出グリル７２の当該中心Ｏ２と角部６４ａとを結ぶ線のうちの当該線上の途中の点Ｐ１と中心Ｏ２との線分である直線Ｌ４３と、角部６３ｂと中心Ｏ２とを結ぶ直線Ｌ４４とによって囲まれた領域である。上記の中心Ｏ１と角部６３ｂとを結ぶ線は、中心Ｏ２と角部６３ａとを結ぶ線と点Ｐ１で交わっている。
【００７９】
各吹出グリル７１、７２は、吸込口６４ａに近い上記の領域Ｒ７において複数のリブ３２の第１部分３２ａの高さが図４の吹出グリル６のようにプロペラファン４の半径方向Ｅ内側に位置するリブ３２の第１部分３２ａから外側に位置するリブ３２の第１部分３２ａまで徐々に大きくなるように設定されている。これにより、吸込口６４ａに近い領域７において各開口６５ａ、６５ｂから吹き出す空気が吸込口６４ａへ回り込むショートサーキットを効果的に防止することができる。それとともに、リブ３２の第１部分３２ａによる空気抵抗の増加をさらに抑えることが可能になり、消費電力および騒音をさらに抑えることが可能である。
【００８０】
なお、領域Ｒ７以外の領域Ｒ８では、各開口６５ａ、６５ｂから吹き出す空気が吸込口６４ａへ回り込む空気がほとんどないので、そのような領域Ｒ８において複数のリブ３２の第２部分３２ｂの高さを同じになるように設定することにより、吹出グリル７１、７２の形状の簡素化を図ることが可能である。
【００８１】
（Ｃ）
また、第４実施形態のさらに他の変形例として図１９に示されるように、吹出口６５の２つの開口６５ａ、６５ｂにそれぞれ取り付けられる吹出グリルとして、上下に並んで配置された吹出グリル７３、７４のように、上側の吹出グリル７３における吸込口６４ａに近い上側の角部７３ａと当該吹出グリル７３の中心Ｏ３を結ぶ直線Ｌ５１と、当該中心Ｏ３と下側の吹出グリル７４の中心Ｏ４とを結ぶ直線Ｌ５２と、当該吹出グリル７４における吸込口６４ａに近い下側の角部７４ａと当該中心Ｏ４を結ぶ直線Ｌ５３とによって囲まれた領域Ｒ９において、リブ３２の第１部分３２ａの高さを変えるようにしてもよい。
【００８２】
各吹出グリル７３、７４は、吸込口６４ａに近い上記の領域Ｒ９において複数のリブ３２の第１部分３２ａの高さが図４の吹出グリル６のようにプロペラファン４の半径方向Ｅ内側に位置するリブ３２の第１部分３２ａから外側に位置するリブ３２の第１部分３２ａまで徐々に大きくなるように設定されている。これにより、吸込口６４ａに近い領域７において各開口６５ａ、６５ｂから吹き出す空気が吸込口６４ａへ回り込むショートサーキットを効果的に防止することができる。それとともに、リブ３２の第１部分３２ａによる空気抵抗の増加をさらに抑えることが可能になり、消費電力および騒音をさらに抑えることが可能である。
【００８３】
なお、領域Ｒ９以外の領域Ｒ１０では、各開口６５ａ、６５ｂから吹き出す空気が吸込口６４ａへ回り込む空気がほとんどないので、そのような領域Ｒ１０において複数のリブ３２の第２部分３２ｂの高さを同じになるように設定することにより、吹出グリル７３、７４の形状の簡素化を図ることが可能である。
【００８４】
（Ｄ）
さらに、第４実施形態のさらに他の変形例として図２０に示される吹出グリル７５、７６のように、ケーシング６２の前壁６３における吸込口６４ａに近い上側の角部６３ａと上側の吹出グリル７５の中心Ｏ５を結ぶ直線Ｌ６１と、当該中心Ｏ５と下側の吹出グリル７６の中心Ｏ６とを結ぶ直線Ｌ６２と、前壁６３における吸込口６４ａに近い下側の角部６３ｂと当該中心Ｏ６を結ぶ直線Ｌ６３とによって囲まれた領域Ｒ１１において、リブ３２の第１部分３２ａの高さを変えるようにしてもよい。
【００８５】
各吹出グリル７５、７６は、吸込口６４ａに近い上記の領域Ｒ１１において複数のリブ３２の第１部分３２ａの高さが図４の吹出グリル６のようにプロペラファン４の半径方向Ｅ内側に位置するリブ３２の第１部分３２ａから外側に位置するリブ３２の第１部分３２ａまで徐々に大きくなるように設定されている。これにより、吸込口６４ａに近い領域７において各開口６５ａ、６５ｂから吹き出す空気が吸込口６４ａへ回り込むショートサーキットを効果的に防止することができる。それとともに、リブ３２の第１部分３２ａによる空気抵抗の増加をさらに抑えることが可能になり、消費電力および騒音をさらに抑えることが可能である。
【００８６】
なお、領域Ｒ１１以外の領域Ｒ１２では、各開口６５ａ、６５ｂから吹き出す空気が吸込口６４ａへ回り込む空気がほとんどないので、そのような領域Ｒ１２において複数のリブ３２の第２部分３２ｂの高さを同じになるように設定することにより、吹出グリル７５、７６の形状の簡素化を図ることが可能である。
【００８７】
（Ｅ）
さらに、第４実施形態のさらに他の変形例として、上記変形例（Ｂ）の吹出グリル７１、７２（図１８参照）を若干変形した形で、図２１に示される吹出グリル７７、７８のように、領域Ｒ１３において、リブ３２の第１部分３２ａの高さを変えるようにしてもよい。
【００８８】
領域Ｒ１３は、上側の吹出グリル７７の吸込口６４ａに近い上側の角部７７ａと当該吹出グリル７７の中心Ｏ７とを結ぶ直線Ｌ７１と、当該中心Ｏ１と矩形形状の前壁６３における吸込口６４ａに近い下側の角部６３ｂとを結ぶ線のうちの当該線上の途中の点Ｐ２と中心Ｏ７との線分である直線Ｌ７２と、下側の吹出グリル７８の中心Ｏ８と前壁６３における吸込口６４ａに近い上側の角部６３ａとを結ぶ線のうちの当該線上の途中の点Ｐ２と中心Ｏ８との線分である直線Ｌ７３と、当該吹出グリル７８の吸込口６４ａに近い下側の角部７８ａと中心Ｏ８とを結ぶ直線Ｌ７４とによって囲まれた領域である。上記の中心Ｏ７と角部６３ｂとを結ぶ線は、中心Ｏ８と角部６３ａとを結ぶ線と点Ｐ２で交わっている。
【００８９】
各吹出グリル７７、７８は、吸込口６４ａに近い上記の領域Ｒ１３において複数のリブ３２の第１部分３２ａの高さが図４の吹出グリル６のようにプロペラファン４の半径方向Ｅ内側に位置するリブ３２の第１部分３２ａから外側に位置するリブ３２の第１部分３２ａまで徐々に大きくなるように設定されている。これにより、吸込口６４ａに近い領域７において各開口６５ａ、６５ｂから吹き出す空気が吸込口６４ａへ回り込むショートサーキットを効果的に防止することができる。それとともに、リブ３２の第１部分３２ａによる空気抵抗の増加をさらに抑えることが可能になり、消費電力および騒音をさらに抑えることが可能である。
【００９０】
なお、領域Ｒ１３以外の領域Ｒ１４では、各開口６５ａ、６５ｂから吹き出す空気が吸込口６４ａへ回り込む空気がほとんどないので、そのような領域Ｒ１４において複数のリブ３２の第２部分３２ｂの高さを同じになるように設定することにより、吹出グリル７７、７８の形状の簡素化を図ることが可能である。
【００９１】
（Ｆ）
上記の第４実施形態の室外機６１では、ケーシング６２の前壁６３に２つの開口６５ａ、６５ｂを有する吹出口６５が形成されている例が示されているが、本発明はこれに限定されるものではなく、３個以上の開口を有する吹出口を有する構成であってもよい。その場合も、上記の第４実施形態と同様に各開口に取り付けられた吹出グリルのリブの高さを変えるようにすれば、上記の第４実施形態と同様の効果を奏することが可能である。
【符号の説明】
【００９２】
１、６１  室外機
２、６２  ケーシング
３  熱交換器
４  プロペラファン
６、４１、５１、７１〜７８  吹出グリル
１１、６３  前壁
１１ａ、６５  吹出口
１３  側壁
１３ａ  吸込口
３２  リブ
３２ａ  第１部分
３２ｂ  第２部分
３８  桟
６５ａ  第１開口
６５ｂ  第２開口
【図１】
2015048989.tif 000003
【図２】
2015048989.tif 000004
【図３】
2015048989.tif 000005
【図４】
2015048989.tif 000006
【図５】
2015048989.tif 000007
【図６】
2015048989.tif 000008
【図７】
2015048989.tif 000009
【図８】
2015048989.tif 000010
【図９】
2015048989.tif 000011
【図１０】
2015048989.tif 000012
【図１１】
2015048989.tif 000013
【図１２】
2015048989.tif 000014
【図１３】
2015048989.tif 000015
【図１４】
2015048989.tif 000016
【図１５】
2015048989.tif 000017
【図１６】
2015048989.tif 000018
【図１７】
2015048989.tif 000019
【図１８】
2015048989.tif 000020
【図１９】
2015048989.tif 000021
【図２０】
2015048989.tif 000022
【図２１】
2015048989.tif 000023